(57)【要約】【課題】最適な輝度情報を与えることで、例えば暗い場所や夜の行動における制限を緩和させることが可能である。【解決手段】映像表示装置１は、被写体を撮像する撮像部１１１と、撮像した映像を表示する表示部１００とを有し、照度１〜１０ｌｘにおいて、反射率２０〜８０％の被写体の輝度を２倍〜１００００倍増幅して表示する。また、被写体の輝度と表示部１００の出力輝度が、  Ｌ’２０／ＬＣ２０＊ＬＤ２０≧Ｌ’８０／ＬＣ８０＊ＬＤ８０  Ｌ’２０＝ｌｉｍ（ＬＤｘ１−ＬＤ２０）／（ＬＣｘ１−ＬＣ２０）                  ＬＣｘ１→ＬＣ２０  Ｌ’８０＝ｌｉｍ（ＬＤｘ２−ＬＤ８０）／（ＬＣｘ２−ＬＣ８０）                  ＬＣｘ１→ＬＣ８０  の関係を満たしている。【選択図】図１
2006154470.tif 000002
【特許請求の範囲】
【請求項１】
被写体を撮像する撮像部と、
前記撮像した映像を表示する表示部とを有し、
照度１〜１０ｌｘにおいて、
反射率２０〜８０％の前記被写体の輝度を２倍〜１００００倍増幅して表示することを特徴とする映像表示装置。
【請求項２】
被写体を撮像する撮像部と、
前記撮像した映像を表示する表示部とを有し、
前記被写体の輝度と前記表示部の出力輝度が、
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
の関係を満たしていることを特徴とする映像表示装置。
【請求項３】
被写体を撮像する撮像部と、
前記撮像した映像を表示する表示部とを有し、
照度１〜１０ｌｘにおいて、
反射率２０〜８０％の前記被写体の輝度を２倍〜１００００倍増幅して表示し、
前記被写体の輝度と前記表示部の出力輝度が、
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
の関係を満たしていることを特徴とする映像表示装置。
【請求項４】
接眼光学系を保持する透明な板状部材を備え、
前記接眼光学系が観察者の眼の前に位置して前記板状部材が眼に対面する状態で使用され、前記表示部からの光を前記接眼光学系により眼に導いて前記表示部が表示した映像の虚像を提供することを特徴とする請求項１乃至請求項３のいずれか１項に記載の映像表示装置。
【請求項５】
接眼光学系を保持して光学素子部を有する透明な板状部材を備え、
前記接眼光学系が観察者の眼の前に位置して前記板状部材が眼に対面する状態で使用され、前記表示部からの光を前記接眼光学系により眼に導いて前記表示部が表示した映像の虚像を前記光学素子部に提供するとともに、外界からの光を前記光学素子部を透過させて眼に導いて外界の像を提供することを特徴とする請求項１乃至請求項３のいずれか１項に記載の映像表示装置。
【請求項６】
前記表示部の表示画像が撮像部より撮像した画像であることを特徴とする請求項１乃至請求項５のいずれか１項に記載の映像表示装置。
【発明の詳細な説明】
【技術分野】
【０００１】
この発明は、例えば暗所での行動に困難をきたす人を対象とする映像表示装置に関する。
【背景技術】
【０００２】
特に網膜色素変性や緑内障等の症状の人は、健常者に比べて、暗所での感度が低く、また暗順応が遅いため、暗い場所や夜の行動が制限されている。例えば、階段や段差等を正確に視認できずに、躓いたり、歩行の恐怖感を感じることがある。
【０００３】
このような症状の人の歩行支援ツールとして、カメラ情報を網膜に直接投影する方法（特許文献１〜３）がある。また、測距センサで足元の障害物を検知する方法（特許文献４）がある。
【特許文献１】特開２００３−３０７７０２号公報（第１頁〜第９頁、図１〜図１０）
【特許文献２】特開２０００−２１４４０８号公報（第１頁〜第７頁、図１〜図９）
【特許文献３】特開平４−２３５７９号公報（第１頁〜第７頁、図１〜図７）
【特許文献４】特開平８−９５４８７号公報（第１頁〜第７頁、図１〜図５）
【発明の開示】
【発明が解決しようとする課題】
【０００４】
ところで、特許文献１〜３では、輝度比を最適化するという概念がないため、例えば、暗所での階段の視認性が充分でない、という問題があった。また、特許文献４では、検知した情報を表示する際に、輝度を増幅し、かつ輝度比の最適化がなされていないため、網膜色素変性や緑内障等の症状の人の視認性が改良されない、という問題があった。
【０００５】
この発明は、かかる点に鑑みてなされたもので、最適な輝度情報を与えることで、例えば暗い場所や夜の行動における制限を緩和させることが可能な映像表示装置を提供することを目的としている。
【課題を解決するための手段】
【０００６】
前記課題を解決し、かつ目的を達成するために、この発明は、以下のように構成した。
【０００７】
請求項１に記載の発明は、被写体を撮像する撮像部と、
前記撮像した映像を表示する表示部とを有し、
照度１〜１０ｌｘにおいて、
反射率２０〜８０％の前記被写体の輝度を２倍〜１００００倍増幅して表示することを特徴とする映像表示装置である。
【０００８】
請求項２に記載の発明は、被写体を撮像する撮像部と、
前記撮像した映像を表示する表示部とを有し、
前記被写体の輝度と前記表示部の出力輝度が、
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
の関係を満たしていることを特徴とする映像表示装置である。
【０００９】
請求項３に記載の発明は、被写体を撮像する撮像部と、
前記撮像した映像を表示する表示部とを有し、
照度１〜１０ｌｘにおいて、
反射率２０〜８０％の前記被写体の輝度を２倍〜１００００倍増幅して表示し、
前記被写体の輝度と前記表示部の出力輝度が、
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
の関係を満たしていることを特徴とする映像表示装置である。
【００１０】
請求項４に記載の発明は、接眼光学系を保持する透明な板状部材を備え、
前記接眼光学系が観察者の眼の前に位置して前記板状部材が眼に対面する状態で使用され、前記表示部からの光を前記接眼光学系により眼に導いて前記表示部が表示した映像の虚像を提供することを特徴とする請求項１乃至請求項３のいずれか１項に記載の映像表示装置である。
【００１１】
請求項５に記載の発明は、接眼光学系を保持して光学素子部を有する透明な板状部材を備え、
前記接眼光学系が観察者の眼の前に位置して前記板状部材が眼に対面する状態で使用され、前記表示部からの光を前記接眼光学系により眼に導いて前記表示部が表示した映像の虚像を前記光学素子部に提供するとともに、外界からの光を前記光学素子部を透過させて眼に導いて外界の像を提供することを特徴とする請求項１乃至請求項３のいずれか１項に記載の映像表示装置である。
【００１２】
請求項６に記載の発明は、前記表示部の表示画像が撮像部より撮像した画像であることを特徴とする請求項１乃至請求項５のいずれか１項に記載の映像表示装置である。
【発明の効果】
【００１３】
前記構成により、この発明は、以下のような効果を有する。
【００１４】
請求項１に記載の発明によれば、照度１〜１０ｌｘにおいて、反射率２０〜８０％の被写体の輝度を２倍〜１００００倍増幅して表示し、視認被写体の輝度を増幅することで、暗所での視認性を改良することができる。
【００１５】
請求項２に記載の発明によれば、被写体の輝度と表示部の出力輝度が、所定の関係を満たし、暗所行動に最適な輝度比（コントラスト）の画像情報を与えることで、暗所での視認性を改良することができる。
【００１６】
請求項３に記載の発明によれば、照度１〜１０ｌｘにおいて、反射率２０〜８０％の被写体の輝度を２倍〜１００００倍増幅して表示し、視認被写体の輝度を増幅し、かつ被写体の輝度と表示部の出力輝度が、所定の関係を満たすことで、輝度増幅かつ最適な輝度比に調整された画像情報を元に、行動することになり、暗所での行動が飛躍的に改良される。
【００１７】
請求項４に記載の発明によれば、接眼光学系が観察者の眼の前に位置して板状部材が眼に対面する状態で使用され、表示部からの光を接眼光学系により眼に導いて表示部が表示した映像の虚像を提供し、ヘッドマウントディスプレイとして使用することができる。
【００１８】
請求項５に記載の発明によれば、接眼光学系が観察者の眼の前に位置して板状部材が眼に対面する状態で使用され、表示部からの光を接眼光学系により眼に導いて表示部が表示した映像の虚像を光学素子部に提供するとともに、外界からの光を光学素子部を透過させて眼に導いて外界の像を提供し、ヘッドマウントディスプレイとして使用することができ、さらにシースルー性を付与することで、外界の像の直接情報と表示部が表示した画像情報の両方から、判断し行動できる。
【００１９】
請求項６に記載の発明によれば、表示部の表示画像が撮像部より撮像した画像であり、例えば撮像情報により暗い場所や夜の行動における制限を緩和させることができる。
【発明を実施するための最良の形態】
【００２０】
以下、この発明の映像表示装置の実施の形態について説明する。この発明の実施の形態は、発明の最も好ましい形態を示すものであり、この発明はこれに限定されない。
【００２１】
［映像表示装置の基本構成］
まず、この発明が適用される映像表示装置を、図１乃至図４に基づいて説明する。図１は映像表示装置の構成図、図２及び図３は映像表示装置の外観を示す図、図４は映像表示装置の断面である。
【００２２】
この実施の形態の映像表示装置１は、図１に示すように、被写体を撮像する撮像部１１１と、撮像した被写体の映像を表示する表示部１００と、接眼光学系１０１と、接眼光学系１０１を保持する透明な板状部材１０２とを有する。表示部１００は照明するための光源を有する。表示部１００には、制御部１１０が接続される。撮像部１１１は、ビデオカメラが用いられる。制御部１１０には、撮像部１１１から被写体の撮像情報が入力される。制御部１１０の制御で表示部１００は、被写体の映像を表示する。
【００２３】
この実施の形態の映像表示装置１は、接眼光学系１０１が眼の前に位置して板状部材１０２が眼に対面する状態で使用され、表示部１００からの光を接眼光学系１０１により眼４１の眼球に導いて表示部１００が表示した映像の虚像を光学素子部１０２ａに提供するとともに、外界からの光を板状部材１０２の光学素子部１０２ａを透過させて眼４１の眼球に導いて外界の像を提供する。
【００２４】
この実施の形態の映像表示装置１は、図２及び図３に示すように、メガネ式に構成され、撮像部を備え、測光部は撮像部で兼用されるが、これに限定されない。
【００２５】
この実施の形態の映像表示装置１は、１つの表示部１００、撮像部１１１、制御部１１０、左右１対のプリズム２０Ｌ、２０Ｒ、鼻当て３１、左右１対のテンプル３２Ｌ、３２Ｒよりなり、プリズム２０Ｌ、２０Ｒが左右の眼４１の前に位置するように使用者の顔前に装着される。鼻当て３１は、プリズム２０Ｌ、２０Ｒに取り付けられており、これらを連結している。
【００２６】
テンプル３２Ｌ、３２Ｒは、それぞれプリズム２０Ｌ、２０Ｒの端部に取り付けられている。装着時には、鼻当て３１が鼻に当たり、テンプル３２Ｌ、３２Ｒが耳、側頭部または後頭部に当たって、映像表示装置１は、これら３部位で支持される。テンプル３２Ｌ、３２Ｒは、プリズム２０Ｌ、２０Ｒ近傍の部位に設けられた垂直方向の軸（不図示）を中心に回動可能であり、非使用時には内側に折り畳むことができる。
【００２７】
表示部１００は、右のプリズム２０Ｒに取り付けられている。表示部１００は、透過型の液晶表示器（ＬＣＤ）１１、筺体１２、プリズム１３、発光ダイオード（ＬＥＤ）１４、およびレンズ１５よりなる。ＬＣＤ１１は表示するための映像を表示し、表示する映像により照明光を変調する。筺体１２は、ＬＣＤ１１、ＬＥＤ１４およびレンズ１５を収容してこれらを保持する。ＬＥＤ１４はＬＣＤ１１を照明するための光源であり、レンズ１５はＬＥＤ１４が発した光をＬＣＤ１１の全面に均一に導くための照明光学系である。
【００２８】
ＬＣＤ１１の映像の表示やＬＥＤ１４の発光は、制御部１１０によって制御され、撮像部１１１で撮像した画像情報を画像処理し、電力や映像信号を供給する。
【００２９】
プリズム１３は平板状であり、透明なガラスまたは樹脂で作製されている。プリズム１３はＬＣＤ１１からの光を眼４１に導いて、ＬＣＤ１１に表示された映像の虚像を表示する。プリズム１３の上端部は、縁の方が内部側よりも厚いくさび状とされており、筺体１２はこのくさび状の上端部を挟むようにして、プリズム１３に取り付けられている。
【００３０】
プリズム２０Ｌは平板状であり、単一の部材で構成されている。プリズム２０Ｒも平板状であるが、単一の部材ではなく、プリズム１３とプリズム２１で構成されている。プリズム２０Ｌおよびプリズム２１は、プリズム１３と同じ材料で作製されており、これら３者に屈折率の差はない。プリズム２０Ｒを成すプリズム１３とプリズム２１は相補的な形状を有し、隙間なく、かつ表面が連続するように接合されている。プリズム１３がくさび状の上端部を有することを除いて、プリズム２０Ｌ、２０Ｒは一般的な眼鏡同様対称形である。映像表示装置１を顔前に装着した使用者は、プリズム２０Ｌ、２０Ｒを通して外界を観察することになる。
【００３１】
プリズム１３の下端部は、縁に向かうほど前面（眼４１から遠い面）が後面（眼４１に近い面）に近づくように作製されており、くさび状である。このくさび状の部位の前面すなわちプリズム２１との接合面は平面であり、この平面にはホログラム素子２２が形成されている。ホログラム素子２２は、装着時に眼４１の直前に位置する。プリズム１３およびホログラム素子２２が接眼光学系１０１を構成する。ホログラム素子２２は、例えば回析フィルムなどで構成される。
【００３２】
プリズム１３は、ＬＣＤ１１からの光を、上端部の端面より内部に導き入れ、前面と後面で複数回全反射しながら、ホログラム素子２２に導く。ホログラム素子２２は、導かれた光を回折させて、平行光に近い光束としながら、眼４１に入射させる。これにより、使用者には、ＬＣＤ１１に表示された映像の虚像が表示される。ホログラム素子２２は外界からの光にはほとんど作用せず、虚像は外界の像の中央部に重なって観察される。
【００３３】
映像表示装置１では、ＬＣＤ１１からの光をプリズム１３の内部で反射しながらホログラム素子２２に導くようにしているため、プリズム２０Ｒを大きくすることが可能である。プリズム１３の下端部はくさび状であるが、同じ材質のプリズム２１に接合されているため、プリズム１３の下端部を透過する外界からの光に屈折は生じない。したがって、外界の像の中央部が歪んだり不連続になったりすることもなく、映像表示装置１は質の高い像を表示することができる。
【００３４】
ＬＣＤ１１は左右方向に長い長方形状であり、十数文字が横方向に並ぶ文字列を１〜数行表示することができる。このため、使用者は、映像から多くの情報を一度に得ることが可能である。なお、この実施の形態では、右眼に映像を表示するようにしているが、もちろん、左眼に映像を表示するようにしてもよい。
【００３５】
この他の実施の形態の外観を図４に示す。この実施の形態の映像表示装置１は、１対の表示部１００、１００を備えて左右両眼に映像を表示するとともに、プリズム２０Ｌ、２０Ｒにパワーをもたせて、使用者の視力を矯正し得るようにしたものである。表示部１００、１００の構成は、プリズム１３Ｌ、１３Ｒが曲率を有する点を除き、図１乃至図３の実施形態の映像表示装置１の表示部１００と同様の構成である。
【００３６】
プリズム２０Ｌ、２０Ｒのパワーは使用者の視力に応じて設定する。プリズム２０Ｌ、２０Ｒに負のパワーをもたせることで近視を、正のパワーをもたせることで遠視を矯正することができる。プリズム１３Ｌ、１３Ｒの下端部のプリズム２１Ｌ、２１Ｒとの接合面は平面とされており、ホログラム素子２２Ｌ、２２Ｒの形成は容易である。
【００３７】
［実施の形態の構成］
第１の実施の形態の映像表示装置１は、被写体を撮像する撮像部１１１と、撮像した映像を表示する表示部１００とを有し、接眼光学系１０１が眼の前に位置して板状部材１０２が眼に対面する状態で使用され、表示部１００からの光を接眼光学系１０１により眼４１の眼球に導いて表示部１００が表示した映像の虚像を光学素子部１０２ａに提供するとともに、外界からの光を板状部材１０２の光学素子部１０２ａを透過させて眼４１の眼球に導いて外界の像を提供する。
【００３８】
この実施の形態では、図５に示すように、制御部１１０によって照度１〜１０ｌｘの範囲のある照度において、反射率２０〜８０％の被写体の輝度を２倍〜１００００倍増幅して表示する。図５は横軸に被写体の輝度を示し、縦軸に表示部１００の出力輝度を示し、被写体の輝度を増幅する表示特性をＡとして示す。
【００３９】
網膜色素変性や緑内障等の症状の人は、健常者に比べて、暗所での感度が低く、また暗順応が遅いため、暗い場所や夜の行動が制限され、例えば階段や段差等を正確に視認できずに、躓いたり、歩行の恐怖感を感じることがあるが、照度１〜１０ｌｘの低照度において、反射率２０〜８０％の被写体の輝度を２倍〜１００００倍増幅して表示し、視認対象物の輝度を増幅することで、暗所での視認性を改良することができる。反射率２０〜８０％の被写体の輝度を増幅して表示することで、背景の影響を極力避けて目的の被写体の輝度を増幅して表示することができ、最適な輝度情報を網膜色素変性や緑内障等の症状の人に与えることで、例えば暗い場所や夜の行動における制限を緩和させることができる。
【００４０】
第２の実施の形態の映像表示装置１は、制御部１１０によって制御され、被写体の輝度と表示部１００の出力輝度が以下の関係を満たす。図６は横軸に被写体の輝度を示し、縦軸に表示部１００の出力輝度を示し、被写体の輝度と表示部１００の出力輝度が以下の関係を満たす表示特性をＢとして示す。
【００４１】
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
被写体の輝度と表示部１００の出力輝度が、所定の関係を満たし、反射率２０〜８０％の被写体の輝度暗所行動に最適な輝度比（コントラスト）の画像情報を与えることで、暗所での視認性を改良することができる。
【００４２】
第３の実施の形態の映像表示装置１は、図７に示すように、制御部１１０によって照度１〜１０ｌｘの範囲のある照度において、反射率２０〜８０％の被写体の輝度を２倍〜１００００倍増幅し、かつ被写体の輝度と表示部１００の出力輝度が以下の関係を満たす。図７は横軸に被写体の輝度を示し、縦軸に表示部１００の出力輝度を示し、被写体の輝度と表示部１００の出力輝度が以下の関係を満たす表示特性をＣとして示す。
【００４３】
Ｌ’２０／ＬＣ２０＊ＬＤ２０≧Ｌ’８０／ＬＣ８０＊ＬＤ８０
Ｌ’２０＝ｌｉｍ（ＬＤｘ１−ＬＤ２０）／（ＬＣｘ１−ＬＣ２０）                  ＬＣｘ１→ＬＣ２０
Ｌ’８０＝ｌｉｍ（ＬＤｘ２−ＬＤ８０）／（ＬＣｘ２−ＬＣ８０）                  ＬＣｘ１→ＬＣ８０
ＬＣＸ：任意の反射率の被写体輝度
ＬＤＸ：任意の表示部の出力輝度
ＬＣ２０：反射率２０％の被写体輝度
ＬＤ２０：反射率２０％の表示部の出力輝度
ＬＣ８０：反射率８０％の被写体輝度
ＬＤ８０：反射率８０％の表示部の出力輝度
の関係を満たしている。
【００４４】
照度１〜１０ｌｘの低照度において、反射率２０〜８０％の被写体の輝度を２倍〜１００００倍増幅し、かつ被写体の輝度と表示部の出力輝度が、所定の関係を満たし、背景の影響を極力避けて目的の被写体の輝度を増幅し、かつ最適な輝度比（コントラスト）の画像情報を与える。このため、網膜色素変性や緑内障等の症状の人は、輝度増幅かつ最適な輝度比に調整された画像情報を元に行動することができ、暗所での行動が飛躍的に改良される。
【００４５】
この実施の形態では、表示部１００からの光を接眼光学系１０１により眼に導いて表示部１００が表示した映像の虚像を光学素子部１０２ａに提供するとともに、外界からの光を光学素子部１０２ａを透過させて眼に導いて外界の像を提供するが、これに限定されず表示部１００からの光を接眼光学系により眼に導いて表示部１００が表示した映像の虚像を提供し、外界からの光を透過させないヘッドマウントディスプレイとしても使用することができる。
【００４６】
また、表示部１００からの光を接眼光学系により眼に導いて表示部１００が表示した映像の虚像を光学素子部１０２ａに提供するとともに、外界からの光を光学素子部１０２ａを透過させて眼に導いて外界の像を提供し、ヘッドマウントディスプレイとして使用し、さらにシースルー性を付与することで、外界の像の直接情報と表示部１００が表示した画像情報の両方から、判断し行動できる。
【００４７】
また、表示部１００の表示画像が撮像部より撮像した画像であり、例えば撮像情報により暗い場所や夜の行動における制限を緩和させることができる。
【産業上の利用可能性】
【００４８】
この映像表示装置は、照度１〜１０ｌｘにおいて、反射率２０〜８０％の被写体の輝度を２倍〜１００００倍増幅して表示し、視認被写体の輝度を増幅することで、暗所での視認性を改良することができる。また、被写体の輝度と表示部の出力輝度が、所定の関係を満たし、暗所行動に最適な輝度比（コントラスト）の画像情報を与えることで、暗所での視認性を改良することができる。
【図面の簡単な説明】
【００４９】
【図１】映像表示装置の構成図である。
【図２】映像表示装置の外観を示す図である。
【図３】映像表示装置の表示部を含む断面図である。
【図４】映像表示装置の外観を示す他の実施の形態の図である。
【図５】映像表示装置の表示特性Ａを示す図である。
【図６】映像表示装置の表示特性Ｂを示す図である。
【図７】映像表示装置の表示特性Ｃを示す図である。
【符号の説明】
【００５０】
１  映像表示装置
１００  表示部
１０１  接眼光学系
１０２  板状部材
１０２ａ  光学素子部
１１０  制御部
１１１  撮像部
【図１】
2006154470.tif 000003
【図２】
2006154470.tif 000004
【図３】
2006154470.tif 000005
【図４】
2006154470.tif 000006
【図５】
2006154470.tif 000007
【図６】
2006154470.tif 000008
【図７】
2006154470.tif 000009